(57)【要約】      （修正有）【課題】人の顔の状態を認識した後、直ちに居眠りをする人に対し、直接的な音声或いは振動でプロンプトを行い、居眠りによる危険を防止できる居眠り防止装置を提供する。【解決手段】主に一つの自動画像認識モジュール１０、一つの第一ワイヤレスモジュール１１０、一つの第二ワイヤレスモジュール２１０及び一つのプロンプトモジュール２０で構成する自動画像認識がワイヤレスリマインダーモジュールと結合した居眠り防止装置である。自動画像認識モジュールは人体に対して認識を行い、異常状態信号を発生する。第一ワイヤレスモジュールは異常状態信号を送信する。第二ワイヤレスモジュールは第一ワイヤレスモジュールが発する異常状態信号を受信する。プロンプトモジュールは第二ワイヤレスモジュールが受信した異常状態信号を受信し、一つのプロンプトアクションを起こす。【選択図】図１
0003225617.tif 000002
【実用新案登録請求の範囲】
【請求項１】
一つの自動画像認識モジュール、一つの第一ワイヤレスモジュール、一つの第二ワイヤレスモジュール及び一つのプロンプトモジュールを含み、
該自動画像認識モジュールは一つの人体に対して認識を行い、一つの異常状態信号を発生し、
該第一ワイヤレスモジュールは自動画像認識モジュールと一体に統合し、異常状態信号を送信し、
該第二ワイヤレスモジュールは第一ワイヤレスモジュールが発する該異常状態信号を受信し、
該プロンプトモジュールは該第二ワイヤレスモジュールと一体に統合し、該第二ワイヤレスモジュールが受信した異常状態信号を受信し、一つのプロンプトアクションを起こすことを特徴とする居眠り防止装置。
【請求項２】
前記該第一ワイヤレスモジュール及び該第二ワイヤレスモジュールは一対のブルートゥスワイヤレスモジュールとすることができることを特徴とする請求項１記載の居眠り防止装置。
【請求項３】
前記該第一ワイヤレスモジュール及び該第二ワイヤレスモジュールは一対のＺｉｇＢｅｅワイヤレスモジュールとすることを特徴とする請求項１記載の居眠り防止装置。
【請求項４】
前記該第一ワイヤレスモジュール及び該第二ワイヤレスモジュールは一対のＷｉｆｉワイヤレスモジュールとすることを特徴とする請求項１記載の居眠り防止装置。
【請求項５】
前記該プロンプトモジュールは一つの音声プロンプトモジュールとすることを特徴とする請求項１記載の居眠り防止装置。
【請求項６】
前記該プロンプトモジュールは一つのブルートゥスイヤホンとすることを特徴とする請求項１記載の居眠り防止装置。
【請求項７】
前記該プロンプトモジュールは一つの振動プロンプトモジュールとすることを特徴とする請求項１記載の居眠り防止装置。
【請求項８】
前記該プロンプトモジュールは一つの振動ブレスレットとすることを特徴とする請求項１記載の居眠り防止装置。
【請求項９】
前記該プロンプトモジュールは一つの音声及び／或いは振動ネックレスとすることを特徴とする請求項１記載の居眠り防止装置。
【請求項１０】
前記該自動画像認識モジュールは、一つの人間の顔を認識する自動画像認識モジュールすることを特徴とする請求項１記載の居眠り防止装置。
【考案の詳細な説明】
【技術分野】
【０００１】
本考案は一種の自動画像認識がワイヤレスリマインダーモジュールと結合した居眠り防止装置の構造に関し、特に一種の自動車運転エリアに応用し、ドライバーが居眠りするのを防止する居眠り防止装置の構造に関する。
【背景技術】
【０００２】
従来技術の中華民国特許申請案第Ｍ２５２０９２号の「居眠りリマインダー」に含まれるのは少なくとも一つの本体、一つの動態センサー及びアラーム装置である。本体のハンギング部をユーザーの耳に吊るし、動態センサーは、一つのパイプ本体内に、自由に転がる導体を設置し、またパイプ本体の両端にはそれぞれ電源装置のスイッチ装置と互いに導通する。アラーム装置はスイッチ装置及び電源装置と互いに導通する。本体が一つの角度を傾斜することにより、導体がパイプ本体の中で移動し、それによりアラーム装置が警告音或いは振動を発することで、警告の効果に達する。しかし、このようなデザインでは、当該本体及び動態センサー装置はいずれもカスタマ化する必要があるため、普及しにくく、誤作動或いは正確度に欠ける状況が発生する。
【０００３】
また、従来技術の中華民国特許申請案第Ｍ５４７７２２号の「居眠り防止帽の構造」では、帽子本体に一つの角度制御モジュールを設置し、角度の変化を検出することで、ユーザーが居眠り状態にあるのかを確認し、そして警報器を起動して警告音或いは振動を発してユーザーをリマインドする。しかし、関連装置は帽子と結合する必要があるため、自動車運転に応用するのが適さず、更に関連構造も必ずカスタマ化すべきであり、普及しにくいことを鑑みて、更なる改善が必要であった。
【先行技術文献】
【特許文献】
【０００４】
【特許文献１】中華民国特許申請案第Ｍ２５２０９２号
【特許文献２】中華民国特許申請案第Ｍ５４７７２２号
【考案の概要】
【考案が解決しようとする課題】
【０００５】
前項公知構造の欠点を解決するために、本考案は主に如何にして有効的に人体の状態を認識し、そして迅速、有効的且つ直接的に人体に働きかけることで、居眠り防止の目標に達成する居眠り防止装置の構造を提供することを主な課題とする。
【課題を解決するための手段】
【０００６】
上述の目的を解決するために、本考案は自動画像認識がワイヤレスリマインダーモジュールと結合した居眠り防止装置の構造を提供するものであり、それに含まれるのは一つの自動画像認識モジュール、一つの第一ワイヤレスモジュール、一つの第二ワイヤレスモジュール及び一つのプロンプトモジュールである。一つの自動画像認識モジュールは主に一つの人体に対して認識を行い、一つの異常状態信号を発生する。一つの第一ワイヤレスモジュールは自動画像認識モジュールと一体に統合し、異常状態信号を送信する。一つの第二ワイヤレスモジュールは第一ワイヤレスモジュールが発する異常状態信号を受信する。及び一つのプロンプトモジュールは第二ワイヤレスモジュールと一体に統合し、第二ワイヤレスモジュールが受信した異常状態信号を受信し、一つのプロンプトアクションを起こす。
【０００７】
本考案の実施を介し、少なくとも下記の効果に達することができる：
【０００８】
一、正確且つ有効的にドライバーに対し、居眠りをしているか否かの映像認識を行うことができる。
【０００９】
二、ドライバーに直接プロンプトを行えることで、よりプロンプトの効果を高めることができる。
【００１０】
三、目下市場にて大変普及しているブルートゥス或いはブルートゥスのブレスレットと結合できるため、もっと簡単に普及できる。
【考案の効果】
【００１１】
本考案の構造により、人の顔の状態を有効的に認識した後、直ちに居眠りをする人に対し、直接的な音声或いは振動でプロンプトを行うこともでき、有効的に居眠りによる危険を防止することができる。
【図面の簡単な説明】
【００１２】
【図１】本考案におけるブルートゥスイヤホンに応用し、プロンプトモジュールとする実施例図である。
【図２】本考案におけるブルートゥス振動ブレスレットに応用し、プロンプトモジュールとする実施例図である。
【図３】本考案におけるブルートゥスネックレスに応用し、プロンプトモジュールとする実施例図である。及び、
【図４】本考案における一種のシステム構造の実施例である。
【考案を実施するための形態】
【００１３】
以下、本考案の構造と特徴および効果を、最良実施例と図面を参照しながら詳細に説明する。
【実施例】
【００１４】
図１から図４に示すのは、本実施例の一種の自動画像認識がワイヤレスリマインダーモジュールと結合した居眠り防止装置１００である。それに含まれるのは一つの自動画像認識モジュール１０、一つの第一ワイヤレスモジュール１１０、一つの第二ワイヤレスモジュール２１０及び一つのプロンプトモジュール２０である。
【００１５】
自動画像認識モジュール１０は一種の自動光学検査(Ａｕｔｏｍａｔｅｄ Ｏｐｔｉｃａｌ Ｉｎｓｐｅｃｔｉｏｎ、ＡＯＩ）の認識モジュールである。また、自動画像認識モジュール１０は、人間の顔３１０の自動画像認識モジュールとすることができる。
【００１６】
自動画像認識モジュール１０は主に一つの人体３０に用い、特に人間の顔３１０に対して認識を行い、一つの異常状態信号を発生する。自動光学検査(ＡＯＩ)の技術を介し、素早く及び有効的にドライバーの顔の特徴を認識し、ドライバーが居眠りをしている状態かどうかをチェックし、居眠りの特徴がある場合は、直ちに上記の異常状態信号を発生する。
【００１７】
第一ワイヤレスモジュール１１０は自動画像認識モジュール１０と一体に統合し、異常状態信号を送信する。第二ワイヤレスモジュール２１０は第一ワイヤレスモジュール１１０が発する異常状態信号を受信する。
【００１８】
第一ワイヤレスモジュール１１０及び第二ワイヤレスモジュール２１０は主にワイヤレス通信の方法をもって、自動画像認識モジュール１０とプロンプトモジュール２０間の信号ブリッジとする。よって、第一ワイヤレスモジュール１１０及び第二ワイヤレスモジュール２１０は一対のブルートゥスワイヤレスモジュールとすることができ、または一対のＺｉｇＢｅｅワイヤレスモジュールとすることや、一対のＷｉｆｉワイヤレスモジュール、或いはその他の形態のワイヤレスモジュールとすることができる。
【００１９】
プロンプトモジュール２０は主に第二ワイヤレスモジュール２１０と一体に統合し、第二ワイヤレスモジュール２１０が受信した異常状態信号を受信し、一つの音声或いは一つの振動を生じるプロンプトアクションを起こす。よって、プロンプトモジュール２０は一つの音声プロンプトモジュールとすることができ、或いはプロンプトモジュール２０は一つの振動プロンプトモジュールとすることができる。
【００２０】
更に具体的に言えば、プロンプトモジュール２０は、主に例えば音声或いは振動…などの物理特徴を介し、ドライバーにプロンプトを行う。また強制的に、積極的にドライバーが居眠りを防止することができる。また、プロンプトモジュール２０とドライバーが直接接触して相互作用を生じるため、プロンプトモジュール２０はドライバーの耳に掛けるブルートゥスイヤホン２１１、或いはドライバーの手につける一つの振動ブレスレット２１２、或いはドライバーの首につける音声及び／或いは振動ネックレス２１３とすることができる。
【００２１】
ドライバーが居眠りの状態にあると自動画像認識モジュール１０が認識した場合、第一ワイヤレスモジュー１１０及び第二ワイヤレスモジュール２１０を介し、ドライバーの身につけているブルートゥス２１１或いは振動ブレスレット２１２或いは音声及び／或いは振動ネックレス２１３が、直接ドライバーにプロンプトアクションを行い、ドライバーが居眠りする状況が発生するのを防止する。
【００２２】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００２３】
１００  自動画像認識がワイヤレスリマインダーモジュールと結合した居眠り防止装置
１０  自動画像認識モジュール
１１０  第一ワイヤレスモジュール
２０  プロンプトモジュール
２１０  第二ワイヤレスモジュール
２１１  ブルートゥスイヤホン
２１２  振動ブレスレット
２１３  音声及び/或いは振動ネックレス
３０  人体
３１０  人間の顔
【図１】
0003225617.tif 000003
【図２】
0003225617.tif 000004
【図３】
0003225617.tif 000005
【図４】
0003225617.tif 000006
【手続補正書】
【提出日】令和2年1月17日(2020.1.17)
【手続補正１】
【補正対象書類名】明細書
【補正対象項目名】００１８
【補正方法】変更
【補正の内容】
【００１８】
第一ワイヤレスモジュール１１０及び第二ワイヤレスモジュール２１０は主にワイヤレス通信の方法をもって、自動画像認識モジュール１０とプロンプトモジュール２０間の信号ブリッジとする。よって、第一ワイヤレスモジュール１１０及び第二ワイヤレスモジュール２１０は一対のブルートゥス（登録商標）ワイヤレスモジュールとすることができ、または一対のＺｉｇＢｅｅ（登録商標）ワイヤレスモジュールとすることや、一対のＷｉｆｉワイヤレスモジュール、或いはその他の形態のワイヤレスモジュールとすることができる。
【手続補正２】
【補正対象書類名】実用新案登録請求の範囲
【補正対象項目名】全文
【補正方法】変更
【補正の内容】
【実用新案登録請求の範囲】
【請求項１】
一つの自動画像認識モジュール、一つの第一ワイヤレスモジュール、一つの第二ワイヤレスモジュール及び一つのプロンプトモジュールを含み、
該自動画像認識モジュールは一つの人体に対して認識を行い、一つの異常状態信号を発生し、
該第一ワイヤレスモジュールは自動画像認識モジュールと一体に統合し、異常状態信号を送信し、
該第二ワイヤレスモジュールは第一ワイヤレスモジュールが発する該異常状態信号を受信し、
該プロンプトモジュールは該第二ワイヤレスモジュールと一体に統合し、該第二ワイヤレスモジュールが受信した異常状態信号を受信し、一つのプロンプトアクションを起こすことを特徴とする居眠り防止装置。
【請求項２】
前記該第一ワイヤレスモジュール及び該第二ワイヤレスモジュールは一対のブルートゥス（登録商標）ワイヤレスモジュールとすることができることを特徴とする請求項１記載の居眠り防止装置。
【請求項３】
前記該第一ワイヤレスモジュール及び該第二ワイヤレスモジュールは一対のＺｉｇＢｅｅ（登録商標）ワイヤレスモジュールとすることを特徴とする請求項１記載の居眠り防止装置。
【請求項４】
前記該第一ワイヤレスモジュール及び該第二ワイヤレスモジュールは一対のＷｉｆｉワイヤレスモジュールとすることを特徴とする請求項１記載の居眠り防止装置。
【請求項５】
前記該プロンプトモジュールは一つの音声プロンプトモジュールとすることを特徴とする請求項１記載の居眠り防止装置。
【請求項６】
前記該プロンプトモジュールは一つのブルートゥスイヤホンとすることを特徴とする請求項１記載の居眠り防止装置。
【請求項７】
前記該プロンプトモジュールは一つの振動プロンプトモジュールとすることを特徴とする請求項１記載の居眠り防止装置。
【請求項８】
前記該プロンプトモジュールは一つの振動ブレスレットとすることを特徴とする請求項１記載の居眠り防止装置。
【請求項９】
前記該プロンプトモジュールは一つの音声及び／或いは振動ネックレスとすることを特徴とする請求項１記載の居眠り防止装置。
【請求項１０】
前記該自動画像認識モジュールは、一つの人間の顔を認識する自動画像認識モジュールすることを特徴とする請求項１記載の居眠り防止装置。